【手続補正書】
【提出日】令和1年8月19日(2019.8.19)
【手続補正１】
【補正対象書類名】明細書
【補正対象項目名】００１２
【補正方法】変更
【補正の内容】
【００１２】
コントローラホイール７３は、操作部７０に含まれる回転操作可能な操作部材であり、十字キー１４１〜１４４と共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。なお、コントローラホイール７３は回転操作が検出できる操作部材であればどのようなものでもよい。例えば、ユーザの回転操作に応じてコントローラホイール７３自体が回転してパルス信号を発生するダイヤル操作部材であってもよい。また、タッチセンサよりなる操作部材（いわゆる、タッチホイール）で、コントローラホイール７３自体は回転せず、コントローラホイール７３上でのユーザの指の回転動作などを検出するものであってもよい。
【手続補正２】
【補正対象書類名】明細書
【補正対象項目名】００１４
【補正方法】変更
【補正の内容】
【００１４】
コネクタ１１２は、接続ケーブル１１１を介して、デジタルカメラ１００と、パーソナルコンピュータやプリンタなどの外部機器とを接続するために用いられる。記録媒体２００はメモリカードやハードディスク等であって、記録媒体スロット２０１に格納される。記録媒体スロット２０１に格納された記録媒体２００は、デジタルカメラ１００との通信が可能となり、記録や再生が可能となる。記録媒体スロット２０１は、通常、蓋２０２により覆われており、図１では、蓋２０２を開けて、記録媒体スロット２０１から記録媒体２００の一部を取り出して露出させた状態を示している。
【手続補正３】
【補正対象書類名】明細書
【補正対象項目名】００４２
【補正方法】変更
【補正の内容】
【００４２】
図５（ａ）は、表示部２８上をタッチダウンして右方向にタッチムーブし、タッチアップするまでの軌跡を示している。図３（ａ）〜（ｄ）、図４（ａ）〜（ｄ）を用いて説明をしたジャンプ送りでは、サブ領域４０３に表示されるＧＵＩバー４２０をユーザがＸ軸プラス方向にタッチムーブ操作を行う場合の、タッチの軌跡を軌跡４３１で示す。しかし、ユーザが、デジタルカメラ１００の表示部２８の右の部分を握って、親指でタッチ操作をするような場合には、Ｘ軸方向に沿ってタッチムーブをしようとしても実際には軌跡４３２のような軌跡を通ることが考えられる。つまり、Ｘ軸方向にタッチムーブするつもりでも、手の位置がデジタルカメラ１００を握っている位置から大きく動かすことができず、指の移動可能範囲が限られるため、少し斜め上側（または斜め下側）にずれてしまう可能性がある。また、タッチパネル７０ａが小型の場合はタッチムーブの移動量を確保するために、画面の下部から斜め上（もしくは上部から斜め下）方向にタッチムーブする場合もある。また、１枚送りを繰り返し行う場合には、ユーザが画像を切り替えた後、所望の画像でなかった場合には素早く次の画像送り操作を行う。よって、何度もタッチムーブ操作をしている間に意図せずサブ領域４０３からタッチを開始してしまう可能性がある。１枚送りでは、所定距離以上のタッチムーブであれば、タッチムーブ距離が長くなっても１枚しか画像が変わらないので、ユーザは思いっきりタッチムーブ操作を行ってしまう可能性がある。そのような場合に、ユーザが意図せず、サブ領域４０３をタッチしてしまった場合には、表示中の画像からかけ離れた順番の画像へと切り替わってしまう可能性もある。なお、メイン領域４０２は、サブ領域４０３よりも大きい領域であり、選択されている画像が大きく表示され、画像切替えをするための領域（サブ領域、サムネイル画像の領域、ＧＵＩバー）はタッチ操作ができる程の大きさであればよい。ただしサムネイルを表示する場合には、各サムネイルが示す画像の様子を把握できる程に大きく表示してもよい。
【手続補正４】
【補正対象書類名】明細書
【補正対象項目名】００４３
【補正方法】変更
【補正の内容】
【００４３】
図５（ｂ）は、表示部２８上をタッチダウンしてムーブする場合に、タッチダウンした点を（Ｘｏ，Ｙｏ）とし、現在タッチオンしている点を（Ｘ，Ｙ）で示す。よって、Ｘ方向の移動量を｜Ｘ−Ｘｏ｜、Ｙ方向の移動量を｜Ｙ−Ｙｏ｜、と示すことができる。また、図３（ｂ）や図４（ｂ）で示しているサブ領域４０３のＹ軸方向の範囲（Ｙｓ）はＹｃ≦Ｙｓ＜Ｙβであり、メイン領域４０２のＹ軸方向の範囲（Ｙｍ）は０＜Ｙｍ＜Ｙｃとする。サムネイル画像の列や、ＧＵＩバー４２０もサブ領域４０３に表示される。
【手続補正５】
【補正対象書類名】明細書
【補正対象項目名】００４９
【補正方法】変更
【補正の内容】
【００４９】
Ｓ１０４では、システム制御部５０は、図４（ｂ）に示すように表示部２８のサブ領域４０３にＧＵＩバーを表示し、ジャンプフラグをＯＮにする。ジャンプフラグはタッチの開始位置が図４のサブ領域４０３にある場合にＯＮとなる。これにより、ＧＵＩバー上をタッチムーブするとジャンプ送りが実行できる旨をユーザに示すことができる。
【手続補正６】
【補正対象書類名】明細書
【補正対象項目名】００６０
【補正方法】変更
【補正の内容】
【００６０】
Ｓ２０１〜Ｓ２０５の処理では、ジャンプフラグがＯＮである場合に、１枚送りをするか、ジャンプ送りをするかの判定をするための処理である。ジャンプフラグがＯＮでも斜め方向に素早くタッチムーブしている場合や、１枚送りがされてからすぐにタッチムーブがされた場合、ＧＵＩバーが表示されてからすぐにタッチムーブがされた場合などにはジャンプ送りをしない場合がある。
【手続補正７】
【補正対象書類名】明細書
【補正対象項目名】００６２
【補正方法】変更
【補正の内容】
【００６２】
Ｓ２０２では、システム制御部５０は、タッチダウン後のタッチムーブの角度が、ＧＵＩバーの長手方向に対して、所定の角度Ａ１以上で実施されているかどうかの判定を行う。タッチムーブの角度は、｜tanθ｜（＝｜Ｙ−Ｙｏ｜／｜Ｘ−Ｘｏ｜）で表現できるため、ここでは、｜tanθ｜（＝｜Ｙ−Ｙｏ｜／｜Ｘ−Ｘｏ｜）≧Ａ１かどうかを判定する。所定の角度Ａ１以上である場合はＳ２０２へ進み、所定の角度Ａ１よりも小さい場合はＳ２０８へ進む。所定の角度Ａ１は後述する１枚送りの時に行われたタッチムーブの角度Ａ２から例えばプラスマイナス５度の範囲など、Ａ２の角度に基づいて決まる値である。このように、１枚送りの時のタッチムーブの角度から現在のタッチムーブの角度と同じくらいか（もしくはそれより大きいか）を判定することで、ユーザが１枚送りを同じような角度でタッチムーブをしているのかわかる。Ａ２と同じような角度でタッチムーブをしているのであれば、ユーザは１枚送りをしようとしている可能性が高い。なお、所定の角度Ａ１は３０度や４５度など一定の角度でもよい。ＧＵＩバーの長手方向に対して、所定の角度Ａ１以上でタッチムーブしているのであれば、Ｓ２０３へ進み、そうでない場合は、Ｓ２０８へ進む。
【手続補正８】
【補正対象書類名】明細書
【補正対象項目名】００６９
【補正方法】変更
【補正の内容】
【００６９】
なお、Ｓ２０２〜Ｓ２０５の各条件はいずれか１つがＹｅｓとなった場合に、１枚送りをしてもよく、さらにいずれかの条件を組み合わせてＹｅｓと判定された場合に１枚送りをしてもよい。つまり、Ｓ２０２とＳ２０３の判定が共にＹｅｓであれば（素早く斜めにタッチムーブされたら）、Ｓ２０６、Ｓ２０７の処理に進み、そうでなければＳ２０８を行うようにしてもよい。もしくは、Ｓ２０２またはＳ２０３のいずれかの判定がＹｅｓとなれば、Ｓ２０６、Ｓ２０７の処理に進んでもよい。
【手続補正９】
【補正対象書類名】明細書
【補正対象項目名】００７５
【補正方法】変更
【補正の内容】
【００７５】
Ｓ３０２でシステム制御部５０は、１枚送り処理を終了する。Ｘ軸方向のタッチムーブ距離がＸＡに達していなければもともと表示した画像のまま画像を切り替えずに１枚送りを終了し、そうでなければ前後何れかの順番の画像に切り替える。